(57)【特許請求の範囲】
【請求項１】
荷物又はケースの上面を覆うための主板部と、前記主板部の外縁部全体を下方に膨出させてなる断面溝形の環状外縁突部とを備え、前記荷物又は前記ケースの上端部外側に前記環状外縁突部を嵌合させた状態で、前記主板部の上面を横切るように取り廻されたベルトにて前記荷物又は前記ケースに押し付けられて固定される上蓋体において、
前記環状外縁突部を構成しかつその幅方向で対向する内側環状壁と外側環状壁のうち前記外側環状壁の一部を上端部から上下方向の中間位置まで切り欠いて前記ベルトを受容可能なベルト受容凹部を設けたことを特徴とする上蓋体。
【請求項２】
前記ベルト受容凹部より下側で、前記外側環状壁と前記内側環状壁との間を連絡する連絡補強壁を備えたことを特徴とする請求項１に記載の上蓋体。
【請求項３】
前記内側環状壁のうち前記ベルト受容凹部に受容された前記ベルトが当接する部分を外側に膨出させてベルト受補強突部を形成したことを特徴とする請求項１又は２に記載の上蓋体。
【請求項４】
前記外側環状壁を、上方に向かうに従って外側に迫り出すように傾斜させ、
前記ベルト受容凹部の底部を、前記外側環状壁の上端部より前記内側環状壁側に引っ込めたことを特徴とする請求項１乃至３の何れか１の請求項に記載の上蓋体。
【請求項５】
前記主板部の上面に前記ベルトを受容可能なベルト受容溝を設け、前記ベルト受容溝の延長上に前記ベルト受容凹部を配置したことを特徴とする請求項１乃至４の何れか１の請求項に記載の上蓋体。
【発明の詳細な説明】
【技術分野】
【０００１】
本発明は、荷物又はケースの上面を覆う主板部の外縁部全体から環状外縁突部が下方に突出した構造の上蓋体であって、ケース等の上端部外側に環状外縁突部を嵌合させた状態でベルトにてケース等に押し付けられて固定される上蓋体に関する。
【背景技術】
【０００２】
従来、この種の上蓋体として、主板部の外縁部全体を下方に直角曲げしてなる突片構造の環状外縁突部を備えたものが知られている（例えば、特許文献１参照）。しかしながら、この上蓋体では、環状外縁突部の強度不足によりケース等に対する嵌合状態が安定しないので、環状外縁突部を、主板部から下方に膨出した断面溝形としたものが開発されている（例えば、特許文献２参照）。
【先行技術文献】
【特許文献】
【０００３】
【特許文献１】特開平８−３４４４０号公報（図５，図８）
【特許文献２】特開２０１０−１２０６７８号公報（図１、図６）
【発明の概要】
【発明が解決しようとする課題】
【０００４】
ところが、環状外縁突部を断面溝形とすると、環状外縁突部のうち溝幅方向の外側部分を構成する外側環状壁の上端部が、ベルトの締め付けにより内側に倒れるように大きく撓み、ベルトによる締め付け力が安定しないという問題が生じていた。また、突片構造の環状外縁突部を備えた上蓋体には、その環状外縁突部に上下方向に延びた溝形状のベルト受容凹部が陥没形成され、そのベルト受容凹部にベルトを受容することでベルトの横ずれを防いでいたが、これと同様のベルト受容凹部を、断面溝形の環状外縁突部の外側環状壁に設けても、環状外縁突部のうち溝幅方向の内側部分を構成する内側環状壁により位置制約を受けて、ベルト受容凹部を深くすることができず、ベルト受容凹部からベルトが外れ易くなるという問題が生じた。また、折角、外側環状壁に上記ベルト受容凹部を設けても、上述の如く外側環状壁が撓んでベルトがベルト受容凹部から外れる事態も生じ得る。
【０００５】
本発明は、上記事情に鑑みてなされたもので、荷物又はケースにベルトにて安定して固定可能な上蓋体の提供を目的とする。
【課題を解決するための手段】
【０００６】
上記目的を達成するためになされた請求項１の発明に係る上蓋体は、荷物又はケースの上面を覆うための主板部と、主板部の外縁部全体を下方に膨出させてなる断面溝形の環状外縁突部とを備え、荷物又はケースの上端部外側に環状外縁突部を嵌合させた状態で、主板部の上面を横切るように取り廻されたベルトにて荷物又はケースに押し付けられて固定される上蓋体において、環状外縁突部を構成しかつその幅方向で対向する内側環状壁と外側環状壁のうち外側環状壁の一部を上端部から上下方向の中間位置まで切り欠いてベルトを受容可能なベルト受容凹部を設けたところに特徴を有する。
【０００７】
請求項２の発明は、請求項１に記載の上蓋体において、ベルト受容凹部より下側で、外側環状壁と内側環状壁との間を連絡する連絡補強壁を備えたところに特徴を有する。
【０００８】
請求項３の発明は、請求項１又は２に記載の上蓋体において、内側環状壁のうちベルト受容凹部に受容されたベルトが当接する部分を外側に膨出させてベルト受補強突部を形成したところに特徴を有する。
【０００９】
請求項４の発明は、請求項１乃至３の何れか１の請求項に記載の上蓋体において、外側環状壁を、上方に向かうに従って外側に迫り出すように傾斜させ、ベルト受容凹部の底部を、外側環状壁の上端部より内側環状壁側に引っ込めたところに特徴を有する。
【００１０】
請求項５の発明は、請求項１乃至４の何れか１の請求項に記載の上蓋体において、主板部の上面にベルトを受容可能なベルト受容溝を設け、ベルト受容溝の延長上にベルト受容凹部を配置したところに特徴を有する。
【発明の効果】
【００１１】
［請求項１の発明］
請求項１の上蓋体では、ベルト受容凹部が、環状外縁突部における外側環状壁の一部を上端部から上下方向の中間位置まで切り欠いた構造になっているので、ベルトは、外側環状壁におけるベルト受容凹部の底部と、内側環状壁における上端部との間に差し渡されて、ベルト受容凹部の内側面に幅方向から挟まれた状態になる。これによりベルトの横ずれが規制される。また、外側環状壁のうちベルトに締め付けられる部分は、上述の如く外側環状壁が切り欠かれて低くなっているので、ベルトに締め付けられても外側環状壁が従来のように大きく変形することはない。これらにより、ベルトの締め付け力が安定し、上蓋体を荷物及びケースにベルトにて安定して固定することができる。
【００１２】
［請求項２の発明］
請求項２の上蓋体によれば、ベルト受容凹部より下側で、外側環状壁と内側環状壁との間を連絡する連絡補強壁を備えたので、外側環状壁のうちベルト受容凹部を備えた部分の、ベルトの締め付け力による変形がより抑えられ、ベルトによる上蓋体の固定が一層安定する。
【００１３】
［請求項３の発明］
請求項３の上蓋体では、内側環状壁のうちベルトの当接部分からベルト受補強突部を膨出させたので、ベルトの締め付け力による内側環状壁の変形も抑えられる。このことによっても、ベルトによる上蓋体の固定が安定する。
【００１４】
［請求項４の発明］
請求項４の構成によれば、ベルト受容凹部に受容したベルトを外側環状壁の上端部より内側環状壁側に配置することができ、これにより、ベルトを側方からの異物の当接から保護することできる。
【００１５】
［請求項５の発明］
請求項５の上蓋体では、主板部の上面を横切るベルトがベルト受容溝に受容されるので、ベルトの横ずれを確実に防ぐことができる。
【図面の簡単な説明】
【００１６】
【図１】本発明の一実施形態に係る上蓋体を含むコンテナの斜視図
【図２】（Ａ）パレットの上面側の斜視図，（Ｂ）パレットの下面側の斜視図
【図３】コンテナを構成する上蓋体、筒形ケース、下蓋体の斜視図
【図４】パレット上のコンテナの上にパレットを積み上げた状態の側面図
【図５】上蓋体の平面図
【図６】（Ａ）上蓋体の側面図，（Ｂ）図５のＡ−Ａ切断面における上面蓋の断面図
【図７】（Ａ）嵌り込み防止突部の側断面図，（Ｂ）上蓋体を重ねた状態における嵌り込み防止突部の側断面図，
【図８】環状外縁突部の側断面図
【図９】上蓋体の一部を拡大した平面図
【図１０】環状外縁突部の一部を拡大した斜視図
【図１１】環状外縁突部の一部を拡大した側面図
【発明を実施するための形態】
【００１７】
以下、本発明の一実施形態を図１〜図１１に基づいて説明する。図１には、樹脂製のパレット１０と、そのパレット１０上にベルト９０にて固定されたコンテナ１５とが示されている。パレット１０は、図２（Ａ）に示すように、デッキボード１１の下面に複数の桁部１２を備えた構造になっている。それら桁部１２は、図２（Ｂ）に示すように、デッキボード１１の四隅と、中心と、外縁部各辺の中央と配置され、隣り合った桁部１２，１２同士の間が、パレット１０を縦横に貫通したフォーク挿入孔１３になっている。また、パレット１０の縦横で隣り合った桁部１２，１２の下端部同士の間には、それぞれ連絡梁１４が差し渡されている。これにより、パレット１０の下面には、四方を連絡梁１４に囲まれた４つの下面開口１４Ａが、縦横に２×２列に配置されている。また、このパレット１０全体は、上下方向に貫通した網目を有するメッシュ構造になっている。
【００１８】
図３に示すように、コンテナ１５は、筒形ケース１６に、上蓋体２０と下蓋体５０とを組み付けてなる。筒形ケース１６は、本発明に係る「ケース」に相当し、例えば、押出成形された樹脂ボードで構成され、上下両端面が開放した四角形の角筒構造になっている。なお、筒形ケース１６は、段ボール紙で構成してもよい。
【００１９】
下蓋体５０は、樹脂シートの真空成形品であって、筒形ケース１６の下面形状に対応した四角形の主板部５２の外縁部から上方に環状外縁突部５１を膨出させた構造になっている。そして、図１に示すように、下蓋体５０の環状外縁突部５１が筒形ケース１６の下端部外側に嵌合し、下蓋体５０の主板部５２にて筒形ケース１６の下面開口を閉塞する。
【００２０】
また、図３に示すように、下蓋体５０の主板部５２からは、複数のパレット嵌合突部５３が下方に向かって膨出している。そして、これらパレット嵌合突部５３が、図４に示すようにパレット１０上面の網目に凹凸嵌合し、これにより、下蓋体５０がデッキボード１１の上面における縦横両方向で位置決めされる。
【００２１】
上蓋体２０は、下蓋体５０と同様に、樹脂シートの真空成形品であって、図３に示すように、筒形ケース１６の上面形状の対応した四角形の主板部２２の外縁部から下方に環状外縁突部２１を膨出させた構造になっている。そして、図１に示すように、上蓋体２０の環状外縁突部２１が筒形ケース１６の上端部外側に嵌合し、上蓋体２０の主板部２２にて筒形ケース１６の上面開口を閉塞する。
【００２２】
図３に示すように、上蓋体２０における主板部２２の上面からは、第１〜第３のパレット嵌合突部２３，２５，２６と嵌り込み防止突部２４とが膨出している。それら第１〜第３のパレット嵌合突部２３，２５，２６等の詳細は、図５及び図６に示されている。なお、図５及び図６において、ハッチングは、上蓋体２０の断面を示したものではなく、主板部２２から上方又は下方に突出した部位の突出量の相違を示すためのものである。具体的には、主板部２２からの突出量が同じ部位に対しては、同じ模様のハッチングを付してあり、図５におけるハッチングと同じ模様のハッチングを付した部位を図６で参照することで、図５において異なる模様のハッチングが付された各部位の突出量を比較できるようになっている。
【００２３】
図５に示された第１パレット嵌合突部２３は、パレット１０を上蓋体２０の上に重ねて載置したときに、そのパレット１０の４つの各下面開口１４Ａ（図２（Ｂ）参照）に嵌合するように、主板部２２の上面の４カ所に配置されている。また、各第１パレット嵌合突部２３は、全体が各下面開口１４Ａの形状である四角形の四隅を面取りした形状になっている。さらに、各第１パレット嵌合突部２３は、上蓋体２０の縦横に延びた１対のベルト受容溝２３Ｍ，２３Ｍにより４分割されている。それら各第１パレット嵌合突部２３を横切るベルト受容溝２３Ｍは、隣り合った第１パレット嵌合突部２３，２３の間で同一直線上に配置されている。これにより、パレット１０の上面全体の縦横に１対ずつのベルト受容溝２３Ｍ，２３Ｍが横切った状態になっている。
【００２４】
第２パレット嵌合突部２５は、パレット１０を上蓋体２０の上に重ねて載置したときに、そのパレット１０における外縁部各辺の中央に配置された桁部１２と対向する位置に、それぞれ１対ずつ配置されている。そして、それら各桁部１２の下面の網目に第２パレット嵌合突部２５が嵌合するようになっている。
【００２５】
第３パレット嵌合突部２６は、パレット１０を上蓋体２０の上に重ねて載置したときに、そのパレット１０の四隅の桁部１２と対向する位置にそれぞれ１対ずつ配置されている。そして、それら各桁部１２の下面の網目に、第３パレット嵌合突部２６が嵌合するようになっている。なお、図６（Ａ）に示すように、第３パレット嵌合突部２６は、第１パレット嵌合突部２３より主板部２２からの突出量が小さく、上記した第２パレット嵌合突部２５は、第１パレット嵌合突部２３より主板部２２からの突出量が大きくなっている。
【００２６】
嵌り込み防止突部２４は、各第１パレット嵌合突部２３のうち主板部２２の中心Ｇ（図５参照）に近い角部に配置されると共に、主板部２２の対角線方向に延びた直方体形状をなしている。また、嵌り込み防止突部２４のうち主板部２２の中心Ｇ寄りの側壁２４Ｓ（図７（Ａ）参照）と、第１パレット嵌合突部２３のうち主板部２２の中心Ｇの角部で面取りされた側壁２３Ｓ（図７（Ａ）参照）とは、面一状態になっていて、それら側壁２３Ｓ，２４Ｓは、図７（Ａ）に示すように、主板部２２に対して略垂直に起立している。また、嵌り込み防止突部２４は、前記した第２パレット嵌合突部２５と共に、主板部２２からの突出量が環状外縁突部２１の次に最も大きくなっている。これらにより、図７（Ｂ）に示すように、複数の上蓋体２０，２０を重ねた場合に、一方の上蓋体２０における嵌り込み防止突部２４の側壁２４Ｓの先端が、他方の上蓋体２０における第１パレット嵌合突部２３の側壁２３Ｓの基端に当接し、一方の上蓋体２０の突部群が、他方の上蓋体２０における突部群の裏側の凹部群に深く嵌り込んで摩擦結合する事態を防ぐ。即ち、本実施形態の上蓋体２０では、重ね合わされた上蓋体２０，２０同士の間で突部が凹部に嵌り込んで分離が困難になるような事態の発生を防げるようになっている。
【００２７】
図６（Ｂ）に示すように、上蓋体２０における主板部２２の下面からは、第１下面突条２７と第２下面突条２８とが膨出している。第１下面突条２７は、図５に示すように、環状外縁突部２１に隣接するように配置されて、環状外縁突部２１と平行かつ間欠的に延び、筒形ケース１６の上縁部が主板部２２の内側にずれることを規制する。一方、第２下面突条２８は、主板部２２のうち第１下面突条２７より内側の領域に散在し、主板部２２を補強する役割を果たす。なお、図６（Ｂ）に示すように、第２下面突条２８の側壁２８Ｓも、前記した嵌り込み防止突部２４の側壁２４Ｓと同様に、主板部２２に対して略垂直に起立していて、この第２下面突条２８によっても、重ね合わされた上蓋体２０，２０同士の間で突部が凹部に嵌り込むことを防いでいる。
【００２８】
次に、前記した環状外縁突部２１の詳細形状について述べる。図８に示すように、環状外縁突部２１は、その下端部に配置されて主板部２２と平行になった底壁２１Ｃと、底壁２１Ｃを間に挟んで環状外縁突部２１の幅方向で対向した外側環状壁２１Ａ及び内側環状壁２１Ｂとで構成されている。また、外側環状壁２１Ａ及び内側環状壁２１Ｂは、底壁２１Ｃから上方に離れるに従って互いに徐々に離間するように底壁２１Ｃに対して傾斜している。なお、内側環状壁２１Ｂの上端部は主板部２２に連絡される一方、外側環状壁２１Ａの上端部には、外側環状壁２１Ａから外側に折れ曲がった鍔部２１Ｔが備えられ、後述するベルト受容凹部３０での鍔部２１Ｔを除き、鍔部２１Ｔ全体は、主板部２２と面一に配置されている。
【００２９】
図９には、環状外縁突部２１を上側から見た形状が拡大して示されている。同図に示すように、外側環状壁２１Ａと内側環状壁２１Ｂとには、環状外縁突部２１を補強するための凹凸が複数設けられている。具体的には、外側環状壁２１Ａには、内側環状壁２１Ｂ側に段付き状に膨出した複数の第１補強突部４０が設けられ、それら複数の第１補強突部４０と環状外縁突部２１の長手方向で交互に並ぶように、内側環状壁２１Ｂには、外側環状壁２１Ａ側に段付き状に膨出した複数の第２補強突部４１が設けられている。
【００３０】
環状外縁突部２１のうち一部の第１補強突部４０が設けられた部分では、上下方向に延びた山形突条が、外側環状壁２１Ａ及び内側環状壁２１Ｂから互いに接近するように突出していて、それら山形突条の稜線同士が固着して縦長固着部４４が形成されている。その縦長固着部４４は、第１補強突部４０の幅方向の中央に配置されると共に、図６（Ａ）に示すように、第１補強突部４０の下端から上下方向の中間位置まで延びている。また、縦長固着部４４を有しない残りの第１補強突部４０における外側環状壁２１Ａ及び内側環状壁２１Ｂは、固着せずに、底壁２１Ｃを挟んで対向している。なお、縦長固着部４４を設けたことで、上蓋体２０，２０を重ねた際に、一方の上蓋体２０の環状外縁突部２１が、他方の上蓋体２０における環状外縁突部２１の裏側の凹部に嵌り込むことを防止している。
【００３１】
図６（Ａ）に示すように、環状外縁突部２１のうち第２補強突部４１が設けられた部分には、補強ブリッジ４５が設けられている。図１０に示すように、補強ブリッジ４５は、環状外縁突部２１の上下方向の中間位置で、第２補強突部４１と外側環状壁２１Ａとの間を連絡して底壁２１Ｃと略平行になった中央連絡壁４３と、その中央連絡壁４３の両側部から下方に屈曲し、内側環状壁２１Ｂと外側環状壁２１Ａとの間を連絡した側部連絡壁４２，４２とからなる。また、側部連絡壁４２，４２は、第２補強突部４１の両側面を構成する側部壁４１Ｄ，４１Ｄと面一になっている。
【００３２】
なお、本実施形態では、側部連絡壁４２及び中央連絡壁４３が、本発明に係る「連絡補強壁」に相当する。
【００３３】
図５に示すように、環状外縁突部２１のうち上記したベルト受容溝２３Ｍの延長上には第２補強突部４１が配置されている。そして、外側環状壁２１Ａのうちベルト受容溝２３Ｍの延長上に配置された第２補強突部４１と対向する位置には、ベルト受容凹部３０が形成されている。なお、外側環状壁２１Ａのうちベルト受容溝２３Ｍの延長上に配置されていない第２補強突部４１と対向する位置には、ベルト受容凹部３０は形成されていない。
【００３４】
図１０に示すように、ベルト受容凹部３０は、外側環状壁２１Ａのうちベルト受容溝２３Ｍの延長上に配置された第２補強突部４１と対向する位置部分を、上端部から上下方向の中間位置まで切り欠いてなる。その結果、ベルト受容凹部３０の底部３０Ｂは、図８に示すように、外側環状壁２１Ａの上端部より内側環状壁２１Ｂ側に引っ込んでいる。また、ベルト受容凹部３０の底部３０Ｂは、中央連絡壁４３より僅かの上方に配置され、第２補強突部４１の幅方向に水平に延びている。さらに、ベルト受容凹部３０の１対の内側面３０Ａ，３０Ａは、上方に向かうに従って互いに離れるように傾斜している。さらに、ベルト受容凹部３０においても、外側環状壁２１Ａの上端部には、前記した鍔部２１Ｔが形成されている。
【００３５】
本実施形態の上蓋体２０の構造に関する説明は以上である。次に、この上蓋体２０の作用効果について説明する。図１に示すように、上蓋体２０を含むコンテナ１５を、ベルト９０にてパレット１０に固定するには、コンテナ１５が載置されたパレット１０の一側縁部中央の桁部１２の内側にベルト９０を廻して、その桁部１２の両側のフォーク挿入孔１３，１３からベルト９０の両端部を外側に引き出す。そして、両フォーク挿入孔１３，１３から引き出した２つのベルト９０，９０を上方に取り廻して、パレット１０上のコンテナ１５における上蓋体２０の一外縁部で水平に折り曲げて上蓋体２０上に這わせ、上蓋体２０の他の外縁部で下方に折り曲げる。そして、パレット１０の前記した桁部１２とは対称位置にある桁部１２の内側に一方のベルト９０を取り回して他方のベルト９０と連結し、ベルト９０全体を締めることでコンテナ１５がパレット１０に固定される。
【００３６】
ここで、上蓋体２０の外縁部にベルト９０を押し付ける際には、ベルト９０をベルト受容凹部３０に受容する。すると、図８に示すように、外側環状壁２１Ａにおけるベルト受容凹部３０の底部３０Ｂと、内側環状壁２１Ｂにおける上端部（詳細には、第２補強突部４１の上端部）との間にベルト９０が差し渡されて、図１１に示すように、ベルト受容凹部３０の内側面３０Ａ，３０Ａに両側方から挟まれた状態になる。これによりベルト９０の横ずれが規制される。また、ベルト９０を取り廻す際に、ベルト９０がベルト受容凹部３０の内側面３０Ａに押し付けられても、その内側面３０Ａは傾斜しているので底部３０Ｂ側に寄せられる。また、ベルト受容凹部３０にベルト９０を受容すると、図５に示すように、主板部２２の上では、丁度、ベルト９０がベルト受容溝２３Ｍに収まる。これにより、主板部２２上でもベルト９０の横ずれが規制される。
【００３７】
ところで、ベルト９０の締め付けにより外側環状壁２１Ａは内側に倒れる方向に力を受ける。しかしながら、本実施形態の上蓋体２０では、ベルト受容凹部３０にベルト９０を受容することで、外側環状壁２１Ａにおいてベルト９０の締め付け力を受ける部分が、外側環状壁２１Ａのうち上端部から上下方向の中間位置まで切り欠かれて低くなっているので、ベルト９０の締め付け力によって従来のように大きく変形することはない。そればかりか、ベルト受容凹部３０より下側では、図１０に示すように、外側環状壁２１Ａと内側環状壁２１Ｂとの間が側部連絡壁４２及び中央連絡壁４３（本発明の「連絡補強壁」に相当する）によって連絡されているので、外側環状壁２１Ａにおけるベルト９０の締め付け力による変形が十分に抑えられる。これらにより、ベルト９０の締め付け力が安定し、上蓋体２０を筒形ケース１６に対してベルト９０にて安定して固定することができると共に、上蓋体２０と共に筒形ケース１６及び下蓋体５０をパレット１０に安定して固定することができる。
【００３８】
しかも、内側環状壁２１Ｂのうちベルト９０との当接部分からは第２補強突部４１（本発明に係る「ベルト受補強突部」に相当する）が突出していて、その第２補強突部４１の側部壁４１Ｄが補強リブの役割を果たすので、ベルト９０の締め付け力による内側環状壁２１Ｂの変形も抑えられる。この点においても、ベルト９０による上蓋体２０の固定が安定する。
【００３９】
また、ベルト受容凹部３０の底部３０Ｂは、図８に示すように、外側環状壁２１Ａ全体の上端部より内側環状壁２１Ｂ側に引っ込んでいるので、ベルト受容凹部３０に受容されたベルト９０は、図８に示すように外側環状壁２１Ａの上端部より内側環状壁２１Ｂ側に配置させることができる。これにより、ベルト９０を側方からの異物の当接から保護することできる。
【００４０】
［他の実施形態］
本発明は、実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）前記実施形態では、上蓋体２０の上面の縦横の一方向にのみ１対のベルト９０，９０が横切るように取り廻されていたが、上蓋体２０上の縦横の両方向でそれぞれ１対のベルト９０，９０が横切るように取り廻してもよい。
【００４２】
（２）前記実施形態の上蓋体２０は、上面開放の筒形ケース１６の上端部に装着されていたが、例えば、上端が閉塞した直方体状の荷物の上端部に装着される上蓋体に本発明に係るベルト受容凹部を設けてもよい。
【００４３】
（３）前記実施形態の上蓋体２０は、四角形であったが、四角形以外の多角形の上蓋体に本発明に係るベルト受容凹部を設けてもよい。
【符号の説明】
【００４４】
１６    筒形ケース
２０    上蓋体
２１    環状外縁突部
２１Ａ    外側環状壁
２１Ｂ    内側環状壁
２２    主板部
２３Ｍ    ベルト受容溝
３０    ベルト受容凹部
３０Ｂ    底部
４１    第２補強突部（ベルト受補強突部）
４２    側部連絡壁（連絡補強壁）
４３    中央連絡壁（連絡補強壁）
９０    ベルト
【図１】
0005682962.tif 000002
【図２】
0005682962.tif 000003
【図３】
0005682962.tif 000004
【図４】
0005682962.tif 000005
【図５】
0005682962.tif 000006
【図６】
0005682962.tif 000007
【図７】
0005682962.tif 000008
【図８】
0005682962.tif 000009
【図９】
0005682962.tif 000010
【図１０】
0005682962.tif 000011
【図１１】
0005682962.tif 000012